(57)【要約】【課題】  液体又は粉体形態の流体を包装及び分与する新規の装置を提供する。【解決手段】    本発明の流体の分与装置は、可変容積容器と、浸し管（８）と、出口オリフィスを備えた分与ヘッド（４；４’；４’’；１４０）とを有し、容器を水平表面上に置いたとき分与ヘッドが垂直でも水平でもない回転軸線の周りで回転でき、上記分与ヘッドは少なくとも、出口オリフィスと容器の内部とが連通する分与位置と、上記連通が遮断される閉成位置とを占めることができ、低減される容器の内部容積に応じて流体を分与することを特徴としている。【選択図】      図１
2005306489.tif 000002
【特許請求の範囲】
【請求項１】
可変容積容器と；
浸し管（８）と；
出口オリフィスを備えた分与ヘッド（４；４’；４’’；１４０）と
を有する流体の分与装置において、
上記分与ヘッドは少なくとも、出口オリフィスと容器の内部とが連通する分与位置と、上記連通が遮断される閉成位置とを占めることができ、低減される容器の内部容積に応じて流体を分与し、容器の内部の圧力を外部の圧力と実質的に等しくできるように、上記分与ヘッドが分与位置と閉成位置との間で中間位置を取ることを特徴とする流体の分与装置。
【請求項２】
装置が、容器の内部で流体の上に突き出たマイクロオリフィス（４０）を備えることを特徴とする請求項１に記載の流体の分与装置。
【請求項３】
浸し管の内側部分は、容器が流体の分与後、元の形状に戻る際及び容器がほぼ一杯である際、浸し管がそれの全長の大部分に亘って空気で満たされるようにして選択されることを特徴とする請求項１または２のいずれか一項に記載の流体の分与装置。
【請求項４】
ポンプを備えていないことを特徴とする請求項１〜３のいずれか一項に記載の流体の分与装置。
【請求項５】
出口通路（１９）の少なくとも一部分（１９ａ）が、閉成位置にある時、上方に向いていることを特徴とする請求項１〜４のいずれか一項に記載の流体の分与装置。
【請求項６】
分与ヘッドが閉成位置にある時、上方に向いている端部分（１９ａ）を出口通路が備えていることを特徴とする請求項５に記載の流体の分与装置。
【請求項７】
分与ヘッドが回転軸線（Ｘ）の周囲で回転でき、分与ヘッドが分与位置にある時、垂直平面において出口通路（１９）の端部分（１９ａ）に対して斜め上方に向って前記回転軸線（Ｘ）がのびていることを特徴とする請求項６に記載の流体の分与装置。
【請求項８】
分与ヘッドが回転軸線（Ｘ）の周囲で回転でき、容器（２）が水平平面の表面上に立置している時、前記回転軸線（Ｘ）が垂直に対して４５°を超えない非ゼロ角度（ｉ）を成していることを特徴とする請求項１〜７のいずれか一項に記載の流体の分与装置。
【請求項９】
分与ヘッドが支持体（３；３’）に対して回動できることを特徴とする請求項１〜８のいずれか一項に記載の流体の分与装置。
【請求項１０】
分与ヘッド（４）が容器本体の頂部分に対して偏心していることを特徴とする請求項９に記載の流体の分与装置。
【請求項１１】
分与位置にある間には、出口オリフィス（９）を通る垂直線（Ｙ）が容器（２）の少なくとも頂部分と交叉せず、又閉成位置にある間は、出口オリフィス（９）を通る垂直線（Ｙ）が容器と交叉することを特徴とする請求項１〜１０のいずれか一項に記載の流体の分与装置。
【請求項１２】
分与ヘッド（４）が、上記回転軸線（Ｘ）のまわりで半回転回動させることにより分与位置から閉成位置へ動かされることを特徴とする請求項１〜１１のいずれか一項に記載の流体の分与装置。
【請求項１３】
分与ヘッド（４）が分与位置にある時、分与ヘッド（４）の出口通路（１９）が下方に向けられることを特徴とする請求項１〜１２のいずれか一項に記載の流体の分与装置。
【請求項１４】
分与ヘッド（４）が閉成位置にある時、容器（２）に固定するのに適した保護キャップ（６）を備えていることを特徴とする請求項１〜１３のいずれか一項に記載の流体の分与装置。
【請求項１５】
分与ヘッド（４）が分与位置にある時には、保護キャップ（６）を容器に装着できないようにして、保護キャップ（６）及び分与ヘッド（４）が配列されていることを特徴とする請求項１４に記載の流体の分与装置。
【請求項１６】
分与ヘッド（４；１４０）が、容器本体に嵌合した支持体（３；１５０）に対して回動できることを特徴とする請求項１〜１５のいずれか一項に記載の流体の分与装置。
【請求項１７】
支持体（３；１５０）がスナップ嵌め又はねじ込みによって容器本体に固定されることを特徴とする請求項１６に記載の流体の分与装置。
【請求項１８】
分与ヘッドが、容器本体と一体に形成された支持体に対して回動できることを特徴とする請求項１〜１４のいずれか一項に記載の流体の分与装置。
【請求項１９】
分与ヘッド（４；１４０）が、スナップ嵌めによって支持体（３；１５０）に固定されることを特徴とする請求項１〜１８のいずれか一項に記載の流体の分与装置。
【請求項２０】
分与ヘッドを予定の位置例えば分与位置又は閉成位置に位置決めできる突起部（２３）の少なくとも一部分を含む支持体（３）に対して、分与ヘッドが回動できることを特徴とする請求項１〜１９のいずれか一項に記載の流体の分与装置。
【請求項２１】
支持体（３）が、分与ヘッド（４）を閉成位置と分与位置の両方に正確に位置決めできることを特徴とする請求項２０に記載の流体の分与装置。
【請求項２２】
支持体が少なくとも一つの突起部（２３）を備え、分与ヘッドが少なくとも二対のリブ（２４；２５）を備え、分与ヘッドが分与位置又は閉成位置にある時に各対のリブが上記突起部（２３）の各側の位置を占めるのに適していることを特徴とする請求項２０又は２１に記載の流体の分与装置。
【請求項２３】
浸し管（８）が支持体（３）に固定され、支持体（３）に対して分与ヘッドが回動できることを特徴とする請求項１〜２２のいずれか一項に記載の流体の分与装置。
【請求項２４】
浸し管（８）が容器本体に固定され、分与ヘッド（１４０）が、容器本体（１６０）に取外し可能に嵌合するのに適した支持体（１５０）に装着されていることを特徴とする請求項１〜２２のいずれか一項に記載の流体の分与装置。
【請求項２５】
使用者が解放すると容器が元の形状に戻ることができるように、容器の壁が弾性的に変形できることを特徴とする請求項１〜２４のいずれか一項に記載の流体の分与装置。
【請求項２６】
容器が、流体を分与するために使用者によって共に扱かれるのに適した二つの主面（２ａ）を画定するほぼ平坦な形状であることを特徴とする請求項１〜２５のいずれか一項に記載の流体の分与装置。
【請求項２７】
容器が、それの内容積を可変にできるベローズ（１２０）を備えていることを特徴とする請求項１〜２６のいずれか一項に記載の流体の分与装置。
【請求項２８】
分与ヘッド（４’）が、出口オリフィスを容器の内部から分離する位置から出口オリフィスを容器の内部へ連通させる位置へ及びその逆に通すように回転軸線に平行な方向に動くことができることを特徴とする請求項１に記載の流体の分与装置。
【請求項２９】
分与ヘッドが回転軸線（Ｘ）の周囲で回転でき、分与ヘッドを容器に対して回動できないロック位置から分与ヘッドを容器に対して回動できる非ロック位置へ及びその逆に通すように回転軸線に平行な方向に動くことができることを特徴とする請求項１〜２８のいずれか一項に記載の流体の分与装置。
【請求項３０】
分与ヘッドが分与位置にある時に、分与ヘッドの出口オリフィスの下側に手を差し込むことができるようにする空洞（１１０）を容器が備えていることを特徴とする請求項１〜２９のいずれか一項に記載の流体の分与装置。
【請求項３１】
容器が、独立したパッケージング及び塗布装置（１００）を収容できるように形成されていることを特徴とする請求項１〜３０のいずれか一項に記載の流体の分与装置。
【請求項３２】
分与ヘッド（４’’）が、容器を水平面表面に立てた時に水平である回転軸線のまわりで回転できることを特徴とする請求項１〜３１のいずれか一項に記載の流体の分与装置。
【請求項３３】
容器が水平表面に配置された時に、水平でも垂直でもない回転軸線の周囲を分与ヘッドが回転可能であることを特徴とする請求項１〜３１のいずれか一項に記載の流体の分与装置。
【請求項３４】
容器（２）の容積が１５０ｍｌ〜６００ｍｌの範囲であることを特徴とする請求項１〜３３のいずれか一項に記載の流体の分与装置。
【請求項３５】
容器（２）の容積が４００ｍｌ又はそれ以上であることを特徴とする請求項３４に記載の流体の分与装置。
【発明の詳細な説明】
【技術分野】
【０００１】
本発明は、例えばボディーローション、化粧除去油、シャンプー、液体石鹸、又はヘアーケア製品のような液体又は粉体の包装（パッケージング）及び分与装置に関するものである。
【背景技術】
【０００２】
押しボタン及び水平出口通路をもつポンプを頂部に備えた容器を有する包装及び分与装置は公知である。押しボタンは、ポンプ本体内に押し込みそして垂直な回転軸線のまわりで回動させることによって閉成位置に確実に保持され得る。
【０００３】
このような装置では、幾つかの理由で十分な満足度は得られない。
【０００４】
第１に、多量の流体を分与するためには、押しボタンを何回も作動するか又は押しボタンの押圧毎に多量の流体を供給できるポンプを容器に取付ける必要がある。しかし、このような状況においては、分与量はしばしば過剰となり得る。
【０００５】
さらに、使用者の押す押しボタンの領域は、押しボタンが静止位置にある際には容器本体から総体的に離れており、押しボタンの変位が大きくなる。内容物の多い容器では、ポンプを作動することと容器を保持することとを同じ手で行うことは難しくなる。
【０００６】
さらに、押しボタンを閉成位置にするためには、使用者は一度、常に使用されるとは限らない流体を押し出さなければならない。
【０００７】
さらにまた、押しボタンを解放した時には、流体が押しボタンの出口通路に残って、その後容器上に垂れて汚すことになる。
【０００８】
上記の欠点を十分に又は部分的に改善する包装及び分与装置によって利益を得ようとする要求がある。
【発明の開示】
【発明が解決しようとする課題】
【０００９】
本発明は、この要求を満足することを目的としている。
すなわち本発明の目的は、液体又は粉体形態の流体を包装及び分与する新規の装置を提供することにある。
【課題を解決するための手段】
【００１０】
本装置は、可変容積容器と、浸し管と、出口オリフィスと容器の内部とが連通する分与位置及び上記連通が遮断される閉成位置とを占めることができ、低減される容器の内部容量に応じて流体を分与する分与ヘッドとを有することを特徴ととしている。
【００１１】
特定の実施の形態に相応する本発明の特徴においては、分与ヘッドは回転軸線の周りで回転できるように回転可能に装着される。この回転軸線は、容器を水平表面上に置いたとき垂直でも水平でもない。従って、分与ヘッドを回すことによって出口オリフィスの傾斜角度は変更され得、それにより流体が分与ヘッドの出口通路内に留まるのを阻止している。
【００１２】
保護キャップは本発明によって容易に固定され得、容器はポンプを備える必要がなく、そして使用者は、所望の量に達すると直ぐに単に容器の内容積を低減させるのを止めることにより、必要とされる量だけの流体を分与することができる。
【００１３】
特定の実施の形態に相応する本発明の特徴においては、容器の壁は、使用者が解放すると容器が元の形状に戻ることができるように弾性的に変形できる。容器が解放されると、分与ヘッドの出口通路内の流体は容器に吸い戻され、それにより流体の乾燥又は酸化は阻止される。
【００１４】
特定の実施の形態では、浸し管の内側部分は、容器が流体の分与後、元の形状に戻る際及び容器がほぼ一杯である際に、浸し管がそれの全長の大部分に亘って空気で満たされるようにして選択される。従って、容器に偶発的に圧力が加わった場合に、流体の不要な分与は阻止される。
【００１５】
分与ヘッドは出口通路を備え、そして出口通路の少なくとも一部分、例えば、端部分は、分与ヘッドが閉成位置にある時には上方向を向いている。出口通路は例えば噴出口によって画定され得る。従って、出口通路内に存在する全ての残留流体は外方向へ流出せずに分与ヘッドの内方へ流れ、従って容器を汚す恐れはない。
【００１６】
回転軸線は、分与ヘッドが分与位置にありしかも容器が水平平面の表面上に立置している時、垂直平面において出口通路の端部分の側に対して斜め上方に向ってのび得る。回転軸線は、例えば、垂直に対して４５°を超えない非ゼロ角度を成し得る。出口通路の端部分は、例えば分与ヘッドが閉成位置にありしかも容器が水平平面の表面上に立置している時には、水平に対して１０°以上上向きに傾斜し得る。
【００１７】
分与ヘッドは、容器本体の頂部分に対して偏心し得、そして支持体に対して回動し得、容器本体に装着する際に用いられる上記支持体の部分に対して偏心する。分与位置にある間には、出口通路が少なくとも一つの出口オリフィスを介して外側に連通することにより、出口オリフィスを通る垂直線は容器の少なくとも頂部分と交叉せず、又閉成位置にある間は、出口オリフィスを通る垂直線は容器と交叉する。こうして、使用者は、分与された流体を取るために出口オリフィスの下側に位置した空間に容易にアクセスできる。
【００１８】
特定の実施の形態に相応する本発明の特徴においては、分与ヘッドは、回転軸線のまわりで半回転回動させることにより分与位置から閉成位置へ動かされる。この半回転回動は例えばいずれかの方向において行われ得る。
【００１９】
同様に特定の実施の形態に相応する本発明の特徴においては、分与ヘッドの出口通路は、分与ヘッドが分与位置にある時、下方に向けられる。これにより、流体を分与するために容器を傾ける必要性をなくすことができ、容器を容易に空にすることができる。
【００２０】
本装置は、分与ヘッドが閉成位置にある時、容器に固定するのに適した保護キャップを備え得る。種々の公知のポンプ装置は、押しボタンの大きさのため保護キャップを備えていない。保護キャップの使用により、種々の公知の装置における押しボタンと違って、分与ヘッドがロック装置によって閉成位置にロックされないとしても、流体の漏れの危険がないので、分与ヘッドの構造を簡単化できる。さらに、特に分与ヘッドが閉成位置において上方に向く噴出口を備えている際には、分与ヘッドは、相対的にコンパクトである保護キャップ内に容易に受けられる。特に、保護キャップ及び分与へッドは、分与ヘッドが分与位置にある時には、保護キャップを容器に装着できないようにして配列され得る。
【００２１】
分与ヘッドは、容器本体に嵌合され得る又は容器本体と一体に形成され得る支持体に対して回動し得る。支持体が容器本体に嵌合される場合には、分与ヘッドは、スナップ嵌め又はねじ込みによって適位置に保持され得、それにより、分与ヘッドを随意に再使用することを可能にする。
【００２２】
分与ヘッドはスナップ嵌め又は他の手段によって上記支持体に固定され得る。
【００２３】
支持体は、使用者が分与ヘッドを少なくとも一つの予定の位置、例えば、分与位置及び（又は）閉成位置に位置決めできる突起部（突出部又は凹部）の少なくとも一部分を含み得る。特に、支持体は少なくとも一つの突起部を備えることができ、また分与ヘッドは少なくとも二対のリブを備えることができ、各対のリブは、分与ヘッドがリブに相応した位置（分与位置及び（又は）閉成位置であり得る）にある時に突起部の各側の位置を占めるのに適している。上記のリブの一方又は他方上を突起部が通過することにより、使用者にはハードポイントが感じられ、それにより使用者は、分与ヘッドが適切に位置決めされることを確かめる。適当には、上記のリブの一方又は他方上の突起部の通過は可聴クリックによっても行われ得る。
【００２４】
浸し管は支持体に固定され得、支持体に対して分与ヘッドが回動し、又は変形例では、特に分与ヘッドが容器本体に取外し可能に嵌合するのに適した支持体に装着される場合には、浸し管は容器本体に固定され得、容器は、流体が充填され得そして取外し可能なストッパーによって閉じられ得る。
【００２５】
容器は通常ほぼ平坦な形状であり、流体を分与するために使用者によって共に扱かれ得る例えば平面状又は幾分凸面状であり得る二つの主面を画定している。変形例では又は加えて、容器は、分与装置の浸し管及び分与ヘッド内へ流体を上昇させるように容器の内圧を雰囲気以上に上昇できる少なくとも一つのベローズを備え得る。
【００２６】
特定の実施の形態において、分与ヘッドが回転可能に装着される場合には、この分与ヘッドは、出口オリフィスを容器の内部から分離する位置から出口オリフィスを容器の内部へ連通させる位置へ及びその逆に通すように回転軸線に平行な方向に動くことができる。
【００２７】
更に特定の実施の形態では、分与ヘッドは、分与ヘッドを容器に対して回動できないロック位置から分与ヘッドを容器に対して回動できる非ロック位置へ及びその逆に通すように回転軸線に平行な方向に動くことができる。従って、例えば分与ヘッドを閉成位置又は分与位置にロックすることが可能である。
【００２８】
分与ヘッドを回転可能に装着する必要はなく、分与ヘッドは、支持体に対して移動させることによって分与位置から閉成位置へ又はその逆に動かすことができる。
【００２９】
特定の実施の形態では、容器は、分与ヘッドが分与位置にある時に分与ヘッドの出口オリフィスの下側に手を差し込むことができるようにする空洞を備えている。このような実施の形態において、分与ヘッドが分与位置にある時に、出口オリフィスを通る垂直線は容器及び特にそれの底部分と交叉し得る。
【００３０】
容器は、それの内容積を変えることのできるベローズを備え得る。
【００３１】
容器は、独立したパッケージング及び塗布装置を収容できるように形成され得る。
【００３２】
特定の実施の形態において、分与ヘッドは、容器を水平面表面に立てた時に水平である回転軸線のまわりで回転され得る。
【００３３】
特定の実施の形態に相応した本発明の特徴においては、容器の容積は１５０ｍｌ〜６００ｍｌの範囲であり、例えば、２００ｍｌ又はそれ以上であり、又は３００ｍｌ以上であり、或いは実際に４００ｍｌ又はそれ以上である。
【００３４】
特定の実施の形態では、分与ヘッドは、分与位置と閉成位置との間で容器内の圧力を外側の圧力にほぼ等しくさせる中間の位置を占め得る。
【００３５】
本装置は、容器の内圧を外側の圧力にほぼ等しくさせ得るマイクロオリフィスを有し得る。
【００３６】
このマイクロオリフィスは流体の上方で容器内に現れ得る。
【００３７】
本発明の別の目的は、液体又は粉体形態の流体のパッケージング及び分与装置  を提供することにあり、本装置は、
可変容積容器と、
浸し管と、
分与ヘッドと
を有し、分与ヘッドは少なくとも、出口オリフィスと容器の内部とが連通する分与位置と、上記連通が遮断される閉成位置とを占めることができ、上記分与ヘッドは、軸線方向に押したり引いたりすることによって上記分与位置から上記閉成位置へ動かされ、分与ヘッドの下側に少なくとも部分的に位置した容器の部分に作用する圧力によって低減される容器の内部容積に応じて流体が分与される。
【００３８】
かかる装置は、頂部にベローズを備える容器よりコンパクトであり得る。
【００３９】
分与ヘッドは、容器を水平表面上に置いたとき垂直でも水平でもない回転軸線の周りで回転でき、それにより分与ヘッドの回動により出口オリフィスの傾斜が変更される。
【００４０】
別の実施の形態においては、分与ヘッドは、容器が水平表面上に立っている時に水平である回転軸線の回りを回転し得る。
【００４１】
本発明の別の目的は、粉体のパッケージング及び分与装置を提供することにあり、本装置は、
紛体を収容する可変容積容器と、
浸し管と、
分与ヘッドと
を有し、分与ヘッドは少なくとも、出口オリフィスと容器の内部とが連通する分与位置と、上記連通が遮断される閉成位置とを占めることができ、低減される容器の内部容積に応じて流体が分与される。
【００４２】
分与ヘッドを回転可能に装着する必要はなく、分与ヘッドは、支持体に対して移動させることによって分与位置から閉成位置へ又はその逆に動かすことができる。
【００４３】
別の実施の形態では、分与ヘッドは回転軸線のまわりで回転できる。
【００４４】
回転軸線は、容器を水平表面上に置いた時、垂直ではなく、それにより分与ヘッドの回動により出口オリフィスの傾斜が変更される。
【００４５】
別の実施の形態においては、分与ヘッドは、容器が水平表面上に立っている時に水平である回転軸線の回りを回転し得る。
【発明を実施するための最良の形態】
【００４６】
本発明の他の特徴及び利点は、添付図面に関して本発明を限定しない実施の形態についての以下の詳細な説明から明らかである。
【実施例】
【００４７】
図１には、本発明の第１の実施の形態を構成しているパッケージング及び分与装置１を示している。この装置１は液体を収容する容器２を備え、該液体は幾分粘性の粘度をもつことができる。例として、容器２はボディーローション、シャンプー、液体石鹸、化粧除去油又はヘアーケア―製品を収容できるが、ここに掲げたリストは本発明を限定するものではない。例として、容器２の容積は１５０ｍｌ〜６００ｍｌの範囲とすることができ、記載した実施の形態では約４００ｍｌである。容器２は、その底壁を水平平面上に置いた際に安定する。
【００４８】
容器２の本体は撓み性でしかも場合によっては透明な壁で構成され、例えば、ポリエチレン、ポリ塩化ビニル、ポリエチレンテレフタレート、又はポリアミドノから成るが、ここに掲げたリストは本発明を限定するものではない。容器２の本体の横断面は、一般的に長方形の非円形であり、それにより容器２の本体を弾性的に圧搾してその内容積を減らすために使用者が扱くのに適した幾分凸状の二つの主面２ａを画定し、それによって以下に詳細に説明するような仕方で流体を分与する。容器２の本体が解放されると、容器２の本体は初期の形状に戻る。容器２の本体は吹込み成形法で作ることができる。
【００４９】
容器２は支持体３を備え、支持体３は容器本体の頂部分に装着されている。分与へッド４は出口通路１９を画定する注ぎ口７を備え（図３に見える）、出口通路１９は端部分１９ａ及びその端部に分与オリフィス９を備え、また分与ヘッドは支持体３に対して回転可能に装着されている。分与ヘッド４は図１には閉成位置でまた図２には分与位置で示されている。分与ヘッド４は一般的には容器本体の中間軸線に対して偏心している。
【００５０】
支持体３は、その基部に、分与ヘッド４が閉成位置にある時に保護キャップ６を保持するために摩擦接続部を容器２に設けるのに適した表面５を備えている。分与ヘッド４は、分与位置にある間、キャップ６が係合するのを防止するように構成されている。
【００５１】
分与位置にある間は、分与ヘッド４は、図１及び図２に示すように、容器２の底部までのびる浸し管８と連通している。
【００５２】
説明してきた実施の形態において、分与ヘッド４は、閉成位置にある時、垂直に対してゼロでない角度ｉで斜め上方に注ぎ口７から離れてのびる回転軸線Ｘのまわりを回転できる。
【００５３】
分与ヘッド４は、回転軸線Ｘのまわりで１８０°回動させることによって閉成位置から分与位置へ又はその逆に動かされ得る。図示例では、分与ヘッド４はいずれの方向へも回動できるが、単に閉成位置から分与位置へ動くようにするために一方向に回動できる手段を支持体及び分与ヘッドに設けることは本発明の範囲内である。
【００５４】
分与位置では、出口オリフィス９を通る垂直線Ｙは容器２からずれており、容器２と交叉しない。従って、容器２は、使用者が注ぎ口７から分与される流体を選択しながらの使用者の仕方ではつかむことができない。
【００５５】
図３に見られるように、支持体３は壁１１を備え、この壁１１は回転軸線Ｘを中心とした円筒形であり、頂部は閉じられ、底端部は端部片１２と内部で連通し、端部片１２に浸し管８が装着されている。壁１１の外表面には環状ビード１４が形成され、また分与ヘッド４は組立スカート１５を備え、このスカート１５の底部にはビード１４にスナップ係合する環状溝１６が形成されている。径方向オリフィス１８は壁１１を通り、分与ヘッド４が閉成位置にある時に内部通路すなわち出口通路１９の反対側に直径上相対して位置される。従って、分与位置へ動かすために分与ヘッド４を半回転回すと、出口通路１９はオリフィス１８と整列して開放し、オリフィス１８と連通し、従って、浸し管８に流体を上昇させるために使用者が容器を扱くと、容器に収容された流体は出口オリフィス９に到達し得る。壁１１と組立スカート１５との嵌合は密封的であるので、分与ヘッド４が分与位置にある時には、オリフィス１８を通過する全ての流体は出口通路１９へ流れ、また分与ヘッド４が閉成位置にある時には、オリフィス１８は組立スカート１５によって実質的に漏れなしで閉じられる。当然、分与ヘッドが分与位置にある時に出口通路を容器の内部と連通させそして分与ヘッドが閉成位置にある時にある他の仕方で例えば他の形態の栓を用いてなされるように出口通路を容器の内部から絶縁する手段は本発明の範囲内である。
【００５６】
支持体３は横断壁２１を備えており、この横断壁２１から壁１１及び端部片１２が突出している。この横断壁２１は回転軸線に対して斜めに、垂直にのび、そして分与ヘッドが閉成位置又は分与位置にある時には分与ヘッド４に形成された対のリブ２４、２５と共動する突起部２３で構成した突起部分を備えている。
一層正確には、閉成位置において突起部２３は二つのリブ２４間に受けられる。使用者は、突起部２３がリブ２４を通過するのを感知することができる。同様に、分与ヘッド４が分与位置にある時には突起部２３は他の二つのリブ２５間に受けられる。
【００５７】
支持体３は、容器２の本体における偏心首部に対して漏れなしで支持する内部シーリングスカート２７を備えている。
【００５８】
支持体３は、種々の仕方で、例えばリブ２８を用いたスナップ嵌めによって容器本体に固定され得る。図示していない変形例では、支持体３は、容器本体と一体に形成され得る。以下に記載する別の変形例では、分与ヘッドは、容器本体に解放可能に固定するのに適した支持体に対して回動する。
【００５９】
装置１を使用する場合に、使用者は分与ヘッド４を分与位置に動かし、主面２ａを扱いて流体を浸し管８を通って出口通路１９へ上昇させる。こうして所望量の流体が分与されると、使用者は容器を解放してそれの初期形状に戻す。この初期形状への戻りにより出口通路１９内及び浸し管８内の流体は空気の吸い込みと共に容器内に吸い戻される。浸し管８は収容するのに用いた流体を除去する。例えば内径約１．５ｍｍの浸し管８の内側部分（断面）は、容器がその初期形状に戻ると直ぐに流体が浸し管８を自動的に上昇してこないことを保証するように十分に小さくできる。その後、分与ヘッド４は閉成位置に戻され、出口通路１９内に存在している全残留量の流体は外側に滴下せずに通路の内側に向かって流れる。          
【００６０】
また、分与ヘッドは、図４に示すように回転軸線Ｘに平行に移動するように動くことができるように構成され得る。図４には、支持体３’から引っ張ったり支持体３’に対して押圧したりできる分与ヘッド４’を示している。分与ヘッド４’を支持体３’に対して押圧すると、分与ヘッド４’は支持体における突起部分と共動し、回動しなくなる。分与ヘッド４’を支持体３’から引っ張ると、分与ヘッド４’は、閉成位置から分与位置へ及びその逆に動くように回動され得る。変形例として又は付加的に、回転軸線に平行に分与ヘッドが動くことにより、出口通路を容器の内部と連通させる通路が開閉する。
【００６１】
図示していない実施の形態において、分与ヘッドは回転できず、閉成位置と分与位置との間及びその逆の間で移動するように動かされ得る。
【００６２】
容器２の底部分は、図５に示すように、独立した塗布装置又は独立したパッケージング及び塗布装置１００を収納するような形状に構成され得る。図６に開いた状態で示すこの装置１００は、第１の部分１０１と、第１の部分１０１と共動して閉じた容積を画定する第２の部分１０２とを備えている。第２の部分１０２には、第１の部分１０１で形成された空洞内に分与した流体を吸収する圧搾可能な多孔質材料製の塗布装置１０３が装着されている。塗布装置１０３は、閉成状態では閉じた容積内に少なくとも一部圧搾されるような仕方で形成され得る。装置を開く毎に、多孔質材料が膨張すると、多孔質材料は装置１００に収容するのに用いた流体の実質的に全部を保持できる。第１の部分１０１で形成された空洞は上述の分与ヘッド４を用いることにより再充填され得る。
【００６３】
当然、本発明の範囲からはずれることなしに、容器は種々の形状にすることができ、そして特に容器の本体は種々の形状にすることができる。例えば、図７には、頂部に上記種類の分与ヘッド４が装着される容器が示され、この容器は、分与ヘッドを分与位置（状態）にした時に出口オリフィス９の下側に垂直に使用者の手を差込む空所を形成する空洞１１０を備えている点で容器２とは違っている。  
【００６４】
本発明の範囲からはずれることなしに、他の仕方で分与ヘッドを作ることができる。例えば、図８には、容器を水平平面上に立てた時に水平である回転軸線のまわりで支持体３’’に対して回動するように装着された分与ヘッド４’’を示している。分与位置（状態）では、分与ヘッド４’’の注ぎ口７’’は下方に向き、また図８に示すように、閉成位置（状態）では分与ヘッド４’’の注ぎ口７’’は上方に向いている。
【００６５】
流体を分与する目的で容器の内容積を変える手段は、異なった仕方で構成され得る。特に、例えば図９に示すように、ベローズ１２０を備えた容器を作ることは可能である。
【００６６】
また、出口通路又はしゅつり流体の流れる通路の何処かにバッフル又は断面低減部材を設けることもできる。
【００６７】
分与ヘッドは、図１０を参照して以下に説明するように、容器本体に取り外し可能に固定される支持体に対して回転可能である。
【００６８】
図１０には組立体１３０を示しており、この組立体１３０は分与ヘッド１４０及び支持体１５０で構成されている。分与ヘッド１４０は上述の分与ヘッド４と同一である。支持体１５０は、特に容器本体１６０の首部１６１にねじ込まれる内ねじをもつ組立スカート１５１を有する点において上記の支持体３とは異なっている。浸し管８を固定する挿入体１６２は首部１６１に挿入されている。支持体１５０は、支持体を首部１６１にねじ込んだ時に挿入体１６２の底部におけるダクト１６４に係合する端部片１５３を備えている。
【００６９】
容器本体１６０は挿入体１６２と共に供給され得、流体が充填され、図１０に点線で示す取り外し可能なキャップ１７０で閉じられる。
【００７０】
キャップ１７０を取り外した後、容器本体に支持体１５０がねじ込まれ、そして分与ヘッド１４０は上述の分与ヘッド４と同様にして用いられ得る。
【００７１】
図１１〜図１６には、ヘッドを回した時に、容器の内側と外側との間の圧力を平衡にさせる、図３の分与ヘッドの別の実施の形態を示している。
【００７２】
支持体３の横断壁２１には、容器の内部と分与ヘッドの内部空間４１とを連通させるマイクロオリフィス４０が設けられている。
【００７３】
横断壁２１は円筒状スカート４２を備え、円筒状スカート４２は、図１２〜図１６に示すように直径上相対した二つのスロット４３、４４を備えている。
【００７４】
スロット４３、４４の長さはスカート４２の長さより短い。
【００７５】
分与ヘッドは円筒状スカート５０を備え、円筒状スカート５０、閉成位置においてスカート４２と密封的に接触する。
【００７６】
円筒状スカート５０の全長の少なくとも一部には直径上相対した二つのスロット５１、５２が設けられている。
【００７７】
閉成位置においては、図１１〜図１３に示すように、スカート４２、５０は密封的に係合し、スロット４３、４４はスロット５１、５２とそれぞれ整列しない。
【００７８】
支持体に対して例えば図示し   たように時計回り方向に分与ヘッド４を回すことにより、図１４及び図１５に示すように、中間位置（状態）となり、スロット４３、４４はスロット５１、５２とそれぞれ整列する。
【００７９】
この中間位置において、容器と外部との間はマイクロオリフィス４０及びスロット４３、４４、５１、５２を介して連通する。
【００８０】
結果としての空気の可能な流れにより、容器の内圧と容器の外圧とは実質的に等しくなり、そして容器の内部が閉成位置における大気圧より高い場合に、分与位置にある時に流体が流れるを避けることができる。
【００８１】
支持体に対して分与ヘッドをさらに回すと、分与ヘッド４は最終的に図１６に示すように分与位置となる。スカート５０は閉成位置に対して１８０°回動する。
【００８２】
スロット４３、４４はスロット５１、５２と整列しないが、図示していない実施の形態では、マイクロオリフィス４０が十分に小さい場合には流体の流れを阻止することなしに、それらのスロットは整列し得る。
【００８３】
分与ヘッドは、本発明の範囲からはずれることなしに、上述の形態と異なる形態で構成し得る。これに関連して、用語“ヘッド”は本発明を限定するものと解釈されるべきではなく、全ての形式の分与部材をカバーするように非常に広範囲のもとして解釈されるべきである。
【図面の簡単な説明】
【００８４】
【図１】本発明の実施の形態を構成し、分与へツドが閉成位置にあるパッケージング及び分与装置を示す図。
【図２】分与へツドが分与位置にある図１の装置を示す図。
【図３】分与ヘッド及びその支持体を示す概略軸方向断面図。
【図４】分与ヘッドの変形例を示す図。
【図５】容器内に収容した独立したパッケージング及び塗布装置を示す図。
【図６】図５の装置を開放した状態で示す斜視図。
【図７】容器の変形例を示す図。
【図８】分与ヘッドの変形例を示す図。
【図９】ベローズを備えた容器を示す概略破断面図。
【図１０】分与ヘッドの別の変形実施の形態を示す断面図。
【図１１】図３の分与へツド及びその支持体の変形実施の形態を示す概略軸方向断面図。
【図１２】図１１の矢印ＸＩＩ−ＸＩＩから見た概略破断横断面図。
【図１３】図１２の矢印ＸＩＩＩ−ＸＩＩＩから見た概略破断面図。
【図１４】図１１の分与ヘッドの他の部分を示す図１２と同様な図。
【図１５】図１４の矢印ＸＶ−ＸＶから見た概略破断面図。
【図１６】図１１の分与ヘッドの他の部分を示す図１２と同様な図。
【符号の説明】
【００８５】
１………パッケージング及び分与装置
２………容器
３………支持体
３’……支持体
３’’ …支持体
４………分与へッド
４’……分与へッド
４’’ …分与へッド
５………表面
６………保護キャップ
７………注ぎ口
７’’ …注ぎ口
８………浸し管
９………分与オリフィス
１１……壁
１２……端部片
１４……環状ビード
１５……スカート
１６……環状溝
１８……径方向オリフィス
１９……出口通路
１９ａ…端部分
２１……横断壁
２３……突起部
２４……リブ
２５……リブ
２７……内部シーリングスカート
２８……リブ
１００…パッケージング及び塗布装置
１０１…第１の部分
１０２…第２の部分
１０３…塗布装置
１１０…空洞
１２０…ベローズ
１３０…組立体
１４０…分与ヘッド
１５０…支持体
１５３…端部片
１６０…容器本体
１６１…首部
１６２…挿入体１
１６４…ダクト
１７０…取り外し可能なキャップ
４０……マイクロオリフィス
４１……内部空間
４２……円筒状スカート
４３……スロット
４４……スロット
５０……円筒状スカート
５１……スロット
５２……スロット
【図１】
2005306489.tif 000003
【図２】
2005306489.tif 000004
【図３】
2005306489.tif 000005
【図４】
2005306489.tif 000006
【図５】
2005306489.tif 000007
【図６】
2005306489.tif 000008
【図７】
2005306489.tif 000009
【図８】
2005306489.tif 000010
【図９】
2005306489.tif 000011
【図１０】
2005306489.tif 000012
【図１１】
2005306489.tif 000013
【図１２】
2005306489.tif 000014
【図１３】
2005306489.tif 000015
【図１４】
2005306489.tif 000016
【図１５】
2005306489.tif 000017
【図１６】
2005306489.tif 000018